(57)【要約】      （修正有）【課題】装置に設けられている昇降ねじを円滑に回転させると共に不使用時には邪魔にならない状態に収納保持される手廻しハンドル機構を提供する。【解決手段】手廻しハンドル機構は装置の上板１３に固定され昇降ねじの上部に挿入されて保持されているハンドル廻り止め収納部材１とハンドル回動部２とハンドル把持部回動支持部３とハンドル把持部４とからなり、使用時にはハンドル把持部を把持してハンドル回動部を回転させ、不使用時にはハンドル把持部を押し倒してハンドル回動部の長孔６内に収納して凹部５で保持すると共に端面部をハンドル把持部回動支持部のストッパ部７に圧接させて安定保持させる。【選択図】図２
0003214320.tif 000002
【実用新案登録請求の範囲】
【請求項１】
装置の昇降部に設けられ昇降ねじを作動するための手廻しハンドル機構であって、該手廻しハンドル機構は、前記装置の前記昇降ねじの上部に挿入されて前記装置の固定側に固定されるハンドル廻り止め収納部材と、前記昇降ねじの上部に一端側を固定すると共に他端側に向かって伸延し該伸延箇所にハンドル把持部の収納可能な長孔を形成するハンドル回動部と、該ハンドル回動部の伸延端に固定され前記ハンドル把持部の基端側を回動可能に支持すると共に前記ハンドル把持部が前記ハンドル回動部の長孔に収納された状態で前記ハンドル把持部の回動を固持するストッパ部を形成するハンドル把持部回動支持部と、前記ハンドル把持部回動支持部に基端側をピン支持される支持棒体のピン支持の部分以外を被包すると共に前記ハンドル回動部の前記長孔に収納可能の形状で前記ハンドル回動部を回動させるための前記ハンドル把持部とから構成され、前記ハンドル把持部内には前記支持棒体をバネ支持するバネ体が設けられると共にハンドル支持部の端部にはその回動時において前記ハンドル把持部回動支持のストッパ部に圧接する端面部が形成され、前記ハンドル廻り止め収納部材には前記長孔に収納された前記ハンドル把持部の先端側が嵌まり込む凹部が形成されることを特徴とする手廻しハンドル機構。
【考案の詳細な説明】
【技術分野】
【０００１】  本考案は、昇降ねじを有する装置の端部に設けられて前記昇降ねじを回転させると共に不使用時には安全な形態に収納されて邪魔にならないように形成されている手廻しハンドル機構に関する。
【背景技術】
【０００２】  昇降ねじを有する装置としては各種のものが存在している。この存在技術の中で本考案と類似する公知技術は本出願人の調査によっては見出すことが出来ないが１つの公知技術として「特許文献１」が挙げられる。
【先行技術文献】
【特許文献】
【０００３】
【特許文献１】特開２００８−６９８５（図１）  この「特許文献１」の「特開２００８−６９８５」の「電気転てつ機の手廻しハンドル」はクランクハンドル（１）の構造は本考案に似ている部分もあるがこのクランクハンドル（１）の機能としては昇降ねじをねじ廻しするものではなく廻り止め（３）を回動する用途に使用されるものである。また、クランクハンドル（１）の不使用時の収納構造もなく、安全性においても本考案と大きく相違するものである。
【考案の概要】
【考案が解決しようとする課題】
【０００４】  手廻しハンドルとしては前記の「特許文献１」の如きものがあるが一般には手廻しにより昇降ねじ等を動作するものが一般的のものであり、その構造としては手廻しし易いものからなる。しかしながら手廻しハンドルは使用時には便利なものであるが不使用時においてはそのままの状態では邪魔になる場合が多く、安全性においてもそのままの状態にあると問題がある。よって出来るならば使用時には便利に手廻し出来ると共に不使用時においては簡単に、かつ安全に収納出来るように形成されることが望ましい。【０００５】  本考案は以上の事情に鑑みて考案されたものであり、使用時には容易に手廻し出来ると共に不使用時には安全位置に簡単に、かつ確実に収納出来る手廻しハンドル機構を提供することを目的としている。
【課題を解決するための手段】
【０００６】  本考案は、以上の目的を達成するために、請求項１の考案は、装置の昇降部に設けられ昇降ねじを作動するための手廻しハンドル機構であって、該手廻しハンドル機構は、前記装置の前記昇降ねじの上部に挿入されて前記装置の固定側に固定されるハンドル廻り止め収納部材と、前記昇降ねじの上部に一端側を固定すると共に他端側に向かって伸延し該伸延箇所にハンドル把持部の収納可能な長孔を形成するハンドル回動部と、該ハンドル回動部の伸延端に固定され前記ハンドル把持部の基端側を回動可能に支持すると共に前記ハンドル把持部が前記ハンドル回動部の長孔に収納された状態で前記ハンドル把持部の回動を固持するストッパ部を形成するハンドル把持部回動支持部と、前記ハンドル把持部回動支持部に基端側をピン支持される支持棒体のピン支持の部分以外を被包すると共に前記ハンドル回動部の前記長孔に収納可能の形状で前記ハンドル回動部を回動させるための前記ハンドル把持部とから構成され、前記ハンドル把持部内には前記支持棒体をバネ支持するバネ体が設けられると共にハンドル支持部の端部にはその回動時において前記ハンドル把持部回動支持のストッパ部に圧接する端面部が形成され、前記ハンドル廻り止め収納部材には前記長孔に収納された前記ハンドル把持部の先端側が嵌まり込む凹部が形成されることを特徴とする。
【考案の効果】
【０００７】  本考案の請求項１の手廻しハンドル機構によれば、昇降ねじを作動する場合はハンドル把持部をバネ体に抗して少し持ち上げて把持しハンドル回動部を回転させることにより円滑に昇降ねじを回転させる事が出来る。一方、不使用時にはハンドル把持部を自由状態としてこれを９０度押し倒すことによりハンドル把持部はハンドル回動部の長孔内に収納されると共にハンドル把持部回動支持部のストッパ部にハンドル把持部の端面部が圧接されると共にハンドル把持部がハンドル廻り止め収納部材の凹部に嵌まり込みこれ等によりハンドル把持部は押し倒された状態で安定支持されると共に邪魔にならず安全状態で収納される効果を上げることが出来る。
【図面の簡単な説明】
【０００８】
【図１】  本考案の手廻しハンドル機構の全体構造を示す断面図。
【図２】  使用状態における手廻しハンドル機構の全体構造を示す斜視図。
【図３】  不使用時における手廻しハンドル機構のハンドル把持部の収納状態を示す斜視図。
【図４】  図３の側面図。
【図５】  本考案の手廻しハンドル機構の適用されている装置一例を示す斜視図。
【考案を実施するための形態】
【０００９】  以下、本考案の手廻しハンドル機構の実施の形態を図面を参照して詳述する。
【実施例】
【００１０】  本考案の手廻しハンドル機構は各種の状態の昇降ねじの作動部材として使用されるがその１つの実施例として図５に示す装置に適用された場合を示す。この装置は身体が不自由であるが自力で歩行出来る人間がベッドよりこの装置に安全に座接して目的の場所まで自力で移動出来るように形成されたものであり、手廻しハンドル機構１００はこの装置の座板１２を背丈に対応して上下動するために装置の上板１３の部位に設けられたものである。【００１１】  以下、本考案の手廻しハンドル機構１００の実施例を図１等により説明する。【００１２】  本考案の手廻しハンドル機構１００は図１に示すように装置の上板１３に固定され昇降ねじ（図略）の上部に挿入されて保持されるハンドル廻り止め収納部材１と図略の昇降ねじの上部に一端側を嵌入して横方向に伸延するハンドル回動部２とハンドル回動部２の他端に嵌入されるハンドル把持部回動支持部３とハンドル把持部回動支持部３に回動自在にピン支持されるハンドル把持部４等とから構成される。以下、これ等の構造を順次説明する。【００１３】  ハンドル廻り止め収納部材１は図１乃至図４に示すように図５に示す装置の上板１３に固定されるブロック状のものからなり前記のように図略の昇降ねじの上部に挿入されて上板１３上に固定されるものからなりその上面側にはハンドル把持部４の先端が嵌まり込む凹部５が形成されている。【００１４】  ハンドル回動部２は図略の昇降ねじの上部に一端側を嵌入し横方向に伸延し他端側に段付きに形成される回動部材からなり、中間部にはハンドル把持部を収納し得る長孔６が形成されているものからなる。【００１５】  ハンドル把持部回動支持部３はハンドル回動部２の他端側に嵌入する円筒状部材からなり、その一端部にはハンドル把持部４の端面部１１の圧接するストッパ部７が形成されている。【００１６】  ハンドル把持部４はハンドル把持部回動支持部３に下端側をピン支持される支持棒体８と支持棒体８のピン支持部分の以外の部分を被包する把持部９とからなり、支持棒体８は把持部９内に設けられているバネ体１０によりバネ支持される。また、把持部９の下端には回動時においてハンドル把持部回動支持部３のストッパ部７に圧接する端面部１１が形成されている。【００１７】  以上の構造の手廻しハンドル機構１００の作用を以下に説明する。図略の昇降ねじを回転させて座板１２（図５）を上下動する場合には図１及び図２に示すようにハンドル把持部４を把持してハンドル回動部２を回転させることにより円滑な回転が出来る。【００１８】  一方、不使用時においては図３及び図４に示すようにハンドル把持部４を９０度回動して押し倒し、ハンドル回動部２の長孔６内に収納することにより邪魔にならない位置に収納することが出来る。この場合、ハンドル把持部４の把持部９の端面部１１がハンドル把持部回動支持部３のストッパ部７に圧接すると共にハンドル廻り止め収納部材１の凹部５に挿入され押し倒された状態で安定保持される。【００１９】  以上のように本考案の手廻しハンドル機構１００は昇降ねじを円滑に回転出来ると共に不使用時には邪魔にならない状態で収納され安全性の向上を図ることが出来る。【００２０】  本考案の手廻しハンドル機構��００は以上の説明の内容からなるが、その内容は以上の説明に限定するものではなく同一技術的範疇のものが適用されることは勿論である。
【産業上の利用可能性】
【００２１】  本考案の手廻しハンドル機構１００は昇降ねじを有する全ての装置に適用可能であり、その利用範囲は極めて広い。
【符号の説明】
【００２２】  １      ハンドル廻り止め収納部材
２      ハンドル回動部
３      ハンドル把持部回動支持部
４      ハンドル把持部
５      凹部
６      長孔
７      ストッパ部
８      支持棒体
９      把持部
１０    バネ体
１１    端面部
１２    座板
１３    上板
１００  手廻しハンドル機構
【図１】
0003214320.tif 000003
【図２】
0003214320.tif 000004
【図３】
0003214320.tif 000005
【図４】
0003214320.tif 000006
【図５】
0003214320.tif 000007